(57)【特許請求の範囲】
【請求項１】
扱室から漏下してくる処理物を粗選別するチャフシーブのチャフ板群を、位置固定の支持部材と前後動自在なリンクアームとにそれぞれ回動自在に連結支持し、このリンクアームの前後動操作により、チャフ板の開度を変更可能に構成してある脱穀装置の選別構造であって、
前記チャフ板の前記支持部材と前記リンクアームとのそれぞれの連結点の間隔を、処理物搬送方向上手側に比べて搬送方向下手側を大きく設定するとともに、前記チャフ板の最閉状態ではすべてのチャフ板の角度がほぼ等しくなるように構成し、
さらに、前記各チャフ板に、処理物搬送方向上手側における前記支持部材と前記リンクアームとのそれぞれの連結点の間隔と、処理物搬送方向下手側における前記支持部材と前記リンクアームとのそれぞれの連結点の間隔とに相当する複数の箇所に連結部を形成して、すべてのチャフ板を同一の仕様で構成してある脱穀装置の選別構造。
【発明の詳細な説明】
【０００１】
【発明の属する技術分野】
本発明は、チャフシーブの開閉角度を調節可能に構成した脱穀装置の選別構造に関する。
【０００２】
【従来の技術】
チャフシーブ上に供給される処理物は、処理物搬送方向の上手側と下手側とでは、上手側は穀粒に対してわら屑の比率が小さく、下手側は穀粒に対してをわら屑の比率が大きいというように、チャフシーブの位置によって処理物の組成比率が違うものである。そのため、チャフ板の隙間がすべて同じであれば、上手側の穀粒を十分に漏下させようとチャフ板の隙間を大きくすると、下手側のわら屑も漏下して選別性能が低下してしまう。また逆に、下手側のわら屑の漏下を防ぐためにチャフ板の間隔を小さくすると、上手側の穀粒も十分に漏下させることができずに後方に飛散させてしまって３番口損失が発生してしまうという不具合が生じていた。
【０００３】
この問題に対して従来の技術では、穀粒搬送前後方向でチャフ板の隙間を相違させるために前方と後方とで２組のチャフシーブを配備し、前方のチャフシーブにおける開度と後方のチャフシーブにおける開度を相違させるものが提案されている。
【０００４】
【発明が解決しようとする課題】
しかし、２組のチャフシーブを用いる上記従来の技術では、各チャフシーブとのリンクアームに対して複数の揺動構造を構成しなければならず、チャフシーブの開閉角度変更構造が複雑になるものであった。
【０００５】
本発明はこのような点に鑑みてなされたものであって、チャフシーブの処理物搬送方向の上手側と下手側とで開閉角度の違う開閉角度変更自在な構造を、簡単な構造変更するだけで安価に提供することを目的とする。
【０００６】
【課題を解決するための手段】
〔構成〕  本発明の請求項１にかかる脱穀装置の選別構造は、扱室から漏下してくる処理物を粗選別するチャフシーブのチャフ板群を、位置固定の支持部材と前後動自在なリンクアームとにそれぞれ回動自在に連結支持し、このリンクアームの前後動操作により、チャフ板の開度を変更可能に構成している脱穀装置であって、前記チャフ板の前記支持部材と前記リンクアームとのそれぞれの連結点の間隔を、処理物搬送方向上手側に比べて搬送方向下手側を大きく設定するとともに、前記チャフ板の最閉状態ではすべてのチャフ板の角度がほぼ等しくなるように構成し、さらに、前記各チャフ板に、処理物搬送方向上手側における前記支持部材と前記リンクアームとのそれぞれの連結点の間隔と、処理物搬送方向下手側における前記支持部材と前記リンクアームとのそれぞれの連結点の間隔とに相当する複数の箇所に連結部を形成して、すべてのチャフ板を同一の仕様で構成してあることを特徴構成とする。
【０００７】
〔作用〕  上記構成によると、チャフ板の支持部材とリンクアームとの連結点の間隔を、搬送方向上手側を大きく、下手側を小さく設定しているために、上手側のチャフ板と下手側のチャフ板とでは角度の変化量を違うものに構成できるとともに、最閉状態では上手側と下手側とで同じ角度のチャフシーブを得ることができながら、選別時には穀粒の比率が多い上手側とわら屑の比率が多い下手側とで、チャフシーブの隙間を変化させることができ、穀粒の比率が大きい上手側では処理物を漏下しやすくし、わら屑の比率が大きい下手側では漏下しにくくした、処理物の組成比率に見合ったチャフシーブ開度を得ることができる。さらに、このチャフシーブを１組のリンクアームで揺動操作できる。
【０００８】
【０００９】
また、請求項１にかかる選別構造のチャフシーブ構造は、処理物搬送方向の、上手側と下手側のチャフ板を同一の部材を使用しているので、それぞれの支持部材とリンクアームとの連結点の間隔の相違する数種類のチャフ板を個別に製造する必要がなくなる。
【００１０】
【発明の実施の形態】
以下、本発明の実施の形態を図面に基づいて説明する。図１は、本発明を適用したコンバイン搭載用の脱穀装置を示している。この脱穀装置は、フィードチェーン１で挟持搬送されてきた刈取穀稈を脱穀処理する扱胴３を扱室２に軸支し、この扱胴３の下方で脱穀した処理物を漏下処理する受網４を張設する脱穀部Ａと、脱穀処理物を後方に揺動移送しながら篩い選別ならびに風選別処理し、選別処理物を一番物（穀粒）と二番物とに分けて回収する選別部Ｂとを備えて構成している。
【００１１】
前記選別部Ｂは、受網４の前部から漏下した処理物を穀粒とわら屑とに比重選別しながら後方へ移送するグレンパン１０、グレンパン１０や受網４からの処理物を篩い選別するチャフシーブ１１、穀粒を篩い選別するとともに唐箕５からの選別風で風選別処理するグレンシーブ１２、扱室後端からの処理物をわら屑と回収可能な処理物とに選別処理するストローラック１３等をそれぞれシーブケース６に設け、このシーブケース６を一定ストロークで前後に揺動駆動するように構成している。グレンシーブから漏下して風選された穀粒は、貯留タンク（図示せず）に搬出する一番物回収部８ａと、グレンシーブ６の後端から落下した刺さり籾や枝付き籾等の二番物を二番物還元装置９を介して選別上手側に還元して再処理させる二番物回収部８ｂとに選別されて回収される。そして、シーブケース６上に浮遊する塵埃は、排塵ブロア７の吸引風によって機外に排出されるようになっている。
【００１２】
次に、前記チャフシーブ１１の開閉角度調節構造について説明する。図２に示されているように、チャフシーブ１１は、傾斜させた複数のチャフ板１１ａを処理物搬送方向の一定間隔おきに並列配置することによって構成されている。そして、各チャフ板１１ａの上部をグレンシーブ６に位置固定した支持部材１４に、支軸１６を介して軸芯Ｐ周りに回転自在に枢支連結するとともに、チャフ板１１ａの下部をし前後動自在なリンクアーム１５に回動自在に支軸１７を介して軸支している。
【００１３】
また、チャフ板１１ａの、支持部材１４とリンクアーム１５とのそれぞれの連結点の間隔を、処理物搬送方向上手側の間隔ｘに比べて搬送方向下手側の間隔ｙを大きく設定するとともに、それぞれ異なる支持部材との連結点からの間隔ｘ, ｙに対する連結孔を一つのチャフ板１１ａに形成してある。なお、間隔ｘと間隔ｙとでは、リンクアーム１５と支持部材１４との連結点の距離が違うので、リンクアーム１５の揺動に伴う変位量が相違するため、この変位を許容するための間隔ｙに対するリンクアーム１５の支軸１７とチャフ板１１ａとの連結孔１８を長孔に構成してある。
【００１４】
従って、リンクアーム１５の前後の揺動によって、チャフ板１１ａをＰ軸周りに回転させることにより、チャフ板１１ａの角度が変更するとともに図２の（イ），（ロ）に示されているように隣接するチャフ板１１ａとの隙間を調節することができるとともに、隣接するチャフ板１１ａとの間隔を、処理物搬送方向上手側の間隔ａと下手側の間隔ｂとを一度に得ることができ、前記間隔ａ，ｂの大小関係を維持しながら処理物量に見合ったチャフシーブ１１開度を得ることができる。また、最閉状態では、図２（イ）に示されているように、この間隔ａ，ｂをほぼ等しくなるように設定することで、枕地旋回時などの処理物が少なくなった時に、チャフシーブ１１全面で処理物の漏下を抑制して、回収部へのわら屑の混入を防ぐとともに、穀粒の三番口損失を抑制する。
【００１５】
尚、上記実施の形態では、チャフシーブ１１の上手側と下手側との２段階にチャフ板の傾斜角度を設定したが、必要に応じて３段階以上に設定してもよい。
【００１６】
【発明の効果】
前記請求項１にかかる発明では、チャフシーブの処理物搬送方向の上手側と下手側とで角度変化量の違うチャフ板を得ることができたので、最閉状態では上手側と下手側とを同様の隙間を得ることができながら、チャフ板を開いた状態には、上手側では穀粒を十分漏下することで三番口損失を抑えることができるとともに、下手側ではわら屑の漏下を防ぎ選別性能を向上できるという、チャフシーブ上の処理物の穀粒とわら屑との比率にあわせた開閉を得ることができた。また、この上手側と下手側とで開閉角度の違うチャフシーブを、一組のリンクアームの前後動操作だけで簡単に得ることができるので、従来の構造より簡単な構造で得られるとともに、安価に提供することができた。
【００１７】
また、すべてのチャフ板を同一の仕様で構成して部品を共通化することにより、生産効率を向上するとともに、さらに生産コストを抑えることができた。
【図面の簡単な説明】
【図１】脱穀装置の縦断側面図
【図２】チャフシーブの拡大側面図
【符号の説明】
２      扱室
１１    チャフシーブ
１１ａ  チャフ板
１４    支持部材
１５    リンクアーム
【図１】
0003573665.tif 000002
【図２】
0003573665.tif 000003